(57)【要約】【課題】  写真処理装置と端末処理装置をネットワークにより接続したシステムにおいて、端末処理装置で行う画像処理作業をオペレータのスキルに合わせて行わせることができる画像処理システムを提供すること。【解決手段】  入力された画像データに対して画像処理を行う機能を有する画像処理部４０を備えた端末処理装置２と、画像処理部４０による画像処理作業で得られたプリント作成用データに基づいてプリント作成を行う機能を有する写真処理装置１と、写真処理装置１と、端末処理装置２とをネットワーク３により接続可能に構成した画像処理システムであって、写真処理装置１または端末処理装置２の少なくとも一方に、画像処理部４０によるオペレータの画像処理作業の作業範囲を制限するための制限手段１０ａを備えている。【選択図】    図２
2005196652.tif 000002
【特許請求の範囲】
【請求項１】
入力された画像データに対して画像処理を行う機能を有する画像処理部を備えた端末処理装置と、
前記画像処理部による画像処理作業で得られたプリント作成用データに基づいてプリント作成を行う機能を有する写真処理装置と、
１台又は複数台の前記写真処理装置と、複数台の前記端末処理装置とをネットワークにより接続可能に構成した画像処理システムであって、
写真処理装置または端末処理装置の少なくとも一方に、
前記画像処理部によるオペレータの画像処理作業の作業範囲を制限するための制限手段を備えていることを特徴とする画像処理システム。
【請求項２】
入力された画像データに対して画像処理を行う機能を有する画像処理部を備えた端末処理装置とネットワークにより接続され、この画像処理部による画像処理作業で得られたプリント作成用データに基づいて写真プリントを作成可能な写真処理装置であって、
前記画像処理部によるオペレータの画像処理作業の作業範囲を制限するための制限手段を備えていることを特徴とする写真処理装置。
【請求項３】
前記制限手段は、前記画像処理部が有する特定の機能について使用不可状態に設定する機能を備えていることを特徴とする請求項２に記載の写真処理装置。
【請求項４】
前記制限手段は、前記画像処理部が有する特定の機能について編集可能な範囲を設定する機能を備えていることを特徴とする請求項２又は３に記載の写真処理装置。
【請求項５】
前記特定の機能には、画像編集機能、テンプレート合成機能、テンプレート作成機能のうちの少なくとも１つが含まれることを特徴とする請求項３に記載の写真処理装置。
【請求項６】
前記特定の機能は、色や濃度の補正値を入力する場合の、１操作入力により入力される入力量の設定機能であることを特徴とする請求項３又は５に記載の写真処理装置。
【請求項７】
前記特定の機能には、画像濃度補正の補正範囲、シャープネスの補正範囲、コントラストの補正範囲のうちの少なくとも１つが含まれることを特徴とする請求項４〜６のいずれか１項に記載の写真処理装置。
【発明の詳細な説明】
【技術分野】
【０００１】
本発明は、入力された画像データに対して画像処理を行う機能を有する画像処理部を備えた端末処理装置と、前記画像処理部による画像処理作業で得られたプリント作成用データに基づいてプリント作成を行う機能を有する写真処理装置と、１台又は複数台の前記写真処理装置と、複数台の前記端末処理装置とをネットワークにより接続可能に構成した画像処理システム及びこのシステムに用いられる写真処理装置に関するものである。
【背景技術】
【０００２】
かかる写真処理装置における、写真処理の概略手順を説明する。写真処理装置では、入力された画像データに対して適宜の画像処理を行い、この画像処理により得られた画像処理データに基づいて露光用画像データを生成する。入力される画像データの種類は種々のものがあり、ネガフィルムやポジフィルムのような写真フィルムをスキャニングすることで得られる画像データの他に、デジタルカメラの記憶メディア（スマートメディアTM、コンパクトフラッシュTM、メモリースティックTM等) やＣＤ−Ｒ、ＭＯ等の記録媒体から入力される画像データがある。写真処理装置内に取り込まれた画像データに対しては種々の画像処理が施されるが、その代表的なものは色・濃度の補正である。
【０００３】
そのため、入力された画像データは、色・濃度のチェックを行うためにモニター画面に表示される。通常モニター画面には、複数枚の画像が表示され、オペレータは表示された画像を見ながら適切な色・濃度で写真プリントが作成されるか否かを判定する。適切な色・濃度ではプリントされないと判断した場合には、色の補正データや濃度の補正データを適宜入力する。写真処理装置に備えられた画像処理部では、上記のように得られた補正データと入力された画像データに基づいて露光用画像データ（プリント作成用データ）を生成する。
【０００４】
露光用画像データは、露光エンジン（画像露光部を構成する) に転送されて、写真感光材料の乳剤面に画像を焼付露光する。露光エンジンは、露光用画像データに基づいて、露光光を走査することで画像を写真感光材料に形成させる機能を有する。露光エンジンとしては、例えば、レーザー光を走査することで画像を形成するレーザーエンジンが一例としてあげられる。画像が焼付露光された写真感光材料は、現像処理部に送り込まれ、現像処理及び乾燥処理が施された後、仕上がりの写真プリントとして装置外部に排出される。
【０００５】
一方、端末処理装置と写真処理装置とをネットワーク手段により接続した写真プリント作成システムが知られている（例えば、本出願人による下記特許文献１）。このシステムにおいて、写真処理装置では、主に現像済み写真フィルムからの画像データが入力され、端末処理装置からはデジタルカメラ等の記録媒体からの画像データが入力される。
【０００６】
また、上述のように写真処理装置ではオペレータによる画像処理作業が行われるが、ネットワークにより端末処理装置を接続するシステムでは、端末処理装置から入力される画像データに対しては、端末処理装置で画像処理を行うことが好ましい。端末処理装置に画像処理部を設けて、画像処理を行った結果得られるプリント作成用データを写真処理装置に送信するように構成すれば、写真処理装置で行っていた画像処理作業を端末処理装置に分散させることができる。これにより、画像処理作業を分散させてシステム全体の処理効率を上げることができる。
【０００７】
上記システムでは、ネットワークに接続される端末処理装置の台数が増えていくと、それを操作するオペレータの数も増えていくことになる。しかし、写真店のオペレータには、熟練者もいればアルバイトのような初心者も存在する。このように、オペレータにはスキルの大小があるため、特に初心者に自由に画像処理作業を行わせるようにすると、好ましくない結果が生じる可能性がある。例えば、画像処理の知識に乏しい初心者に、自由に画像処理作業を行わせると、画質のよくない写真プリントが作成されてしまうことになりかねない。
【特許文献１】特開２００３−２４１９３５号公報 (図１、図２等)
【発明の開示】
【発明が解決しようとする課題】
【０００８】
本発明は上記実情に鑑みてなされたものであり、その課題は、写真処理装置と端末処理装置をネットワークにより接続したシステムにおいて、端末処理装置で行う画像処理作業をオペレータのスキルに合わせて行わせることができる画像処理システム及びこのシステムで用いられる写真処理装置を提供することである。 
【課題を解決するための手段】
【０００９】
上記課題を解決するため本発明に係る画像処理システムは、
入力された画像データに対して画像処理を行う機能を有する画像処理部を備えた端末処理装置と、
前記画像処理部による画像処理作業で得られたプリント作成用データに基づいてプリント作成を行う機能を有する写真処理装置と、
１台又は複数台の前記写真処理装置と、複数台の前記端末処理装置とをネットワークにより接続可能に構成した画像処理システムであって、
写真処理装置または端末処理装置の少なくとも一方に、
前記画像処理部によるオペレータの画像処理作業の作業範囲を制限するための制限手段を備えていることを特徴とするものである。
【００１０】
この画像処理システムによる作用・効果を説明する。このシステムでは、写真処理装置と端末処理装置とがネットワークにより接続されている。端末処理装置に画像処理部が設けられており、端末処理装置に入力された画像データは、画像処理部により必要に応じて画像処理作業を行い、得られたプリント作成用データが写真処理装置に送信されて、写真処理装置でプリントが作成される。
【００１１】
写真処理装置か端末処理装置の少なくとも一方（両方でも良い）に、制限手段が設けられており、この制限手段は、画像処理部によるオペレータの画像処理作業の作業範囲を制限する機能を有している。写真処理装置に制限手段を設ける場合は、写真処理装置とネットワーク接続された端末処理装置の画像処理部の作業範囲を制限することができる。従って、初心者が使用する端末処理装置については、作業範囲を制限するように制限をかけることができる。また、写真処理装置において各端末処理装置の作業範囲を一括的に管理することも可能である。制限手段は、特定の端末処理装置に設けることになり、この場合は、ネットワーク接続された他の端末処理装置の作業範囲を制限し、その作業範囲を一括的に管理することができる。その結果、端末処理装置で行う画像処理作業をオペレータのスキルに合わせて行わせることができる画像処理システム及びこのシステムで用いられる写真処理装置を提供することができる。 
【００１２】
本発明に係る制限手段は、前記画像処理部が有する特定の機能について使用不可状態に設定する機能を備えていることが好ましい。この特定の機能には、画像編集機能、テンプレート合成機能、テンプレート作成機能のうちの少なくとも１つが含まれることが特に好ましい。
【００１３】
上記画像編集機能等については、熟練を要する作業であるから、初心者が行うことは好ましくないと考えられる。従って、初心者が使用する端末処理装置については、この機能を使用できないように設定できることが好ましい。
【００１４】
また特定の機能は、色や濃度の補正値を入力する場合の、１操作入力により入力される入力量の設定機能であることが好ましい。この特定の機能は、例えば、色補正のため特定のキーを１回押すと、数値（入力量）が「１．５」となるところを「１．０」になるように変更できる機能である。このような補正値の入力に関する設定は、画質に直接的に関連するものであり、初心者が変更できないように設定できることが好ましい。
【００１５】
本発明に係る制限手段は、前記画像処理部が有する特定の機能について編集可能な範囲を設定する機能を備えていることが好ましい。この特定の機能には、画像濃度補正の補正範囲、シャープネスの補正範囲、コントラストの補正範囲のうちの少なくとも１つが含まれることが好ましい。
【００１６】
これら画像濃度補正等については、画像処理作業を行うために必要とされる機能であるが、初心者が無制限に使用できるとなると、画質のよくないプリントが作成される可能性がある。そこで、これらの機能については、初心者でも使用可能であるが、編集（補正）可能な範囲をある程度制限しておくことが好ましい。
【発明を実施するための最良の形態】
【００１７】
本発明に係る画像処理システムの好適な実施形態を図面を用いて説明する。図１は、システムの概要を示す模式図である。
【００１８】
＜画像処理システムの構成＞
図１において、画像処理システムは写真処理装置１と端末処理装置２とがネットワーク３により接続されている。ネットワーク３に接続される写真処理装置１の台数は１台又は複数台であり、接続される台数は任意に設定することができる。同じく、ネットワーク３に接続される端末処理装置２の台数も１台又は複数台であり、接続される台数は任意に設定することができる。ネットワーク３は、例えば、イーサネットTMによるＬＡＮにより構築されるが、イーサネットTM以外のネットワーク３による接続であっても良い。また、ネットワーク３はインターネット４を介してサーバー５とも接続可能に構成されている。
【００１９】
これら写真処理装置１と端末処理装置２により構築される画像処理システムは、例えば、写真店内に設置されるものである。写真処理装置１と端末処理装置２とは、同じフロアーに設置される必要はなく、複数のフロアーに設置することができる。また、写真処理装置１や端末処理装置２の一部を距離的に離れた場所に設置してもよい。
【００２０】
次に、写真処理装置１の機能を簡単に説明する。写真処理装置１は、入力された画像データに基づいて、ペーパー（写真感光材料）の乳剤面に画像を焼付露光させ、写真プリントを作成することができる。写真処理装置１に入力される画像データとしては、写真処理装置１に対して直接的に入力されるものと、ネットワーク３を介して入力されるものがある。すなわち、 写真処理装置１では、少なくとも第１プリントモードと第２プリントモードとを選択的に設定することができる。
【００２１】
第１プリントモードでは、ネットワーク３との接続状態とは関係なく、写真処理装置１単独で写真処理を実行することができる。その代表的な処理として、スキャナー装置６により現像済み写真フィルムのコマ画像を読み取り、取得した画像データを用いて写真プリントを作成する処理があげられる。なお、スキャナー装置６を介して取得された画像データは、ただちに画像露光用として用いられるのではなく、種々の画像処理が行われた後、露光用画像データを生成し、この露光用画像データによりペーパーに対する画像の焼付露光がなされる。写真処理装置１には、画像処理を行うための第１画像処理部１０（図２参照）が設けられている。
【００２２】
一方、第２プリントモードでは、ネットワーク３を介して転送されてくる画像データ（画像処理データ）が入力される。第１プリントモードの場合と同様に、この画像データに基づいて露光用画像データを生成し、写真プリントが作成される。第２プリントモードでは、ネットワーク３に接続されている端末処理装置２から画像データ（画像処理データ）が転送されてくる。
【００２３】
ここで、端末処理装置２の機能を簡単に説明する。端末処理装置２は、例えば、汎用のパソコンシステムにより構成することができる。端末処理装置２で取り扱う画像データは、デジタルカメラの記憶メディア（スマートメディアTM、コンパクトフラッシュTM、メモリースティックTM等) やＣＤ−Ｒ、ＭＯ等の記録媒体に格納された画像データであり、これらの媒体から画像データを取得するためのドライブ装置が設けられている。
【００２４】
また、写真処理装置１と同様に、端末処理装置２にも画像処理を行うための第２画像処理部が設けられている。したがって、端末処理装置２から入力された画像データを写真処理装置１に転送する場合は、第２画像処理部で画像処理された結果得られた画像処理データが転送されることになる。
【００２５】
本発明に係る画像処理システムは、インターネット４を介してサーバー５にも接続可能に構成されており、このサーバー５により、一般ユーザーからのプリント注文をオンラインで受けることができる。すなわち、 ユーザーは、自分のパソコンを使用して、写真プリントを作成したい画像データをサーバー５にアップロードする。写真店では、サーバー５にアップロードされている画像データを適宜のタイミングでダウンロードして、写真プリントを作成することができる。また、サーバー５には、オンラインアルバムをユーザーに対して提供する機能も有する。なお、ダウンロードした画像データは、例えば、端末処理装置２内に保存される。
【００２６】
＜画像処理システムの機能ブロック構成＞
＜写真処理装置の機能ブロック構成＞
次に、画像処理システムの主要な機能を図２及び図３のブロック図を用いて説明する。まず、図２により、写真処理装置１の主要な機能を説明する。
【００２７】
スキャナー装置６は、現像済みの写真フィルムに形成されているコマ画像から画像データを取得するための装置である。図示はしないが、画像データ読み取り用の光源やＣＣＤラインセンサー等が設けられている。写真フィルム以外の媒体からも画像データを取得可能であり、そのための画像入力装置７が設けられている。画像入力装置７は、後述する端末処理装置２と同様に各種記録媒体に格納された画像データを取得することができる。スキャナー装置６や画像入力装置７を介して取得された画像データは、画像データ記憶部８に一旦記憶・保持される。なお、写真処理装置１には、画像入力装置７の機能はなくてもよい。同じ機能を端末処理装置２にも備えさせているからである。
【００２８】
第１画像処理部１０は、画像データに対する画像処理を行う機能を有しており、ソフトウェアにより構成される。第１画像処理部１０は、ＧＵＩ１１と、画像処理手段１２と、ハード制御手段１３により構成される。ＧＵＩ１１は、グラフィカル・ユーザー・インターフェイスであり、モニター画面を通じて画像処理に関するデータ入力操作等を行うことができる。
【００２９】
画像処理を行うときの画面構成例を図４に示す。ここには、読み取られた画像のうち４枚分がモニター画面に表示されている。モニター画面に表示させる画像の枚数は４枚分でなく、例えば、６枚、８枚というように適宜設定することができる。オペレータは、このモニター画面を見ながら適切な色・濃度により写真プリントが作成されるか否かを判断することができる。このモニター画面において、図番５１で示されるのが写真フィルム等から取得された画像データを表示させたものである。
【００３０】
図番５２は、データ表示領域を示し、画像の平均濃度値、コマ番号、プリント枚数が表示されている。表示画像５１の右上には別の表示領域５３が設けられており、Ｙ（イエロー) 、Ｍ (マゼンタ) 、Ｃ（シアン) の各色に対するキーボード１６から入力した補正データと、同じく濃度の補正データが表示される。また、表示画像５１の下側の表示領域５４には、プリントサイズに関する情報が表示される。例えば、" Ｐ" はパノラマサイズを示している。表示領域５５は、プリントチャンネルの名称を示している。プリントチャンネルについては後述する。
【００３１】
オペレータは、図４に示されるようなモニター画面を見て、色・濃度の補正を行なうべきであると判断した画像については、キーボード１６により補正データを入力する。補正データを入力した場合は、入力した補正データに基づいて修正された画像が同じモニター画面にリアルタイムで表示される。したがって、オペレータは、修正後の画像を目視で確認しながら適切に画像処理を行うことができる。第１画像処理部１０は、画像処理手段１２の機能を有しており、キーボード１６から入力された補正データに基づいて画像処理を行う画像処理手段１２の機能により、画像処理された結果の画像が再度モニター画面に表示される。かかる補正データの入力はある程度試行錯誤的に行われるものであり、最終的に確定された補正データは、補正データ記憶部１７に一旦記憶される。補正データは、個々の画像データに付随した形のデータとなる。なお、画像データ記憶部８と補正データ記憶部１７とを合わせてデータ記憶部１８と定義する。
【００３２】
また、モニター画面に表示される画像のサイズは、入力された画像データのサイズとは異なり、通常はサイズが小さくなったサムネイル画像が画面表示される。このサムネイル画像データを生成する処理も画像処理手段１２の機能であり、モニター画面を見ながら行われる画像処理もサムネイル画像データに基づいて行われるものである。
【００３３】
補正データとしては、色・濃度の補正に関するものだけではなく、赤目補正、逆光補正、階調補正のような特殊な補正に関する補正パラメータも含まれる。また、プリント枚数についても、図４に示すモニター画面において修正入力することができ、このプリント枚数のデータも補正データに含まれる。
【００３４】
ハード制御手段１３は、ハードウェアである画像処理基板２０に対する制御を行う機能である。第１画像処理部１０において画像処理された結果得られた画像処理データは、画像処理基板２０に転送されて、露光用画像データが作成されることになる。ここで画像処理データ（プリント作成用データに相当する。）は、少なくとも画像データと補正データにより構成されるものであり、画像データとしては、スキャナー装置６や画像入力装置７から取得された画像データをそのまま画像処理基板２０に送信させることができる。
【００３５】
なお、第１画像処理部１０で画像処理を行った場合、これを直ちに画像処理基板２０に送ってプリント処理を行ってもよいが、あとで適当な時間帯に行うようにすることもできる。そこで、オーダデータ蓄積部９にデータを蓄積するように構成されている。オーダーの概念については、写真店において適宜設定することができるものであるが、例えば、写真フィルム１本、記録媒体１個を１オーダーとして扱うことができる。オーダデータ蓄積部９には、画像データと補正データが保存され、これらのデータにはオーダーＩＤが付与されオーダー単位で管理される。
【００３６】
また、第１画像処理部１０で画像処理を行い、直ちにプリント処理を行うような場合であっても、データをオーダデータ蓄積部９に蓄積しておくようにしている。これは、一度プリント処理を行った場合でも、焼き直し処理や焼き増し処理を行うことがあるので、オーダデータとして保存しておくことが好ましい。画像データと補正データとを対応付けて保存しておけば、焼き直し処理等を行う場合に同じ画像処理を繰り返して行う必要がなく、画像処理を行った結果を補正データとして残しているので、再度活用することができる。なお、焼き直し処理とは、仕上がりの写真プリントの品質がよくない場合に、オペレータの判断で再度プリント処理を行うものをいい、焼き増し処理（リオーダー処理）とは、顧客からの依頼に応じて同じプリントの作成処理を行うものをいう。従って、プリント処理を行っても画像データや補正データを削除してしまうのではなく、前述したように、オーダデータ蓄積部９にデータを蓄積・保存する。
【００３７】
また、第１画像処理部１０における画像処理やプリント処理を行う場合には、種々の設定データを予め設定しておく必要がある。設定データは、設定データファイル保存部１４に保存される。設定データとしては、例えば、プリントチャンネルに関するデータがあげられる。プリントチャンネルとは、写真プリント作成のために使用するペーパーの種類（面質やメーカーなど）、プリントサイズ、画像データの取得元（デジタルカメラからのデータかネガフィルムからのデータか等）等を登録したものである。したがって、デジタルカメラから取得された画像データに基づいて、特定のプリントサイズの写真プリントを作成しようとする場合は、それに適したプリントチャンネルを選択する必要があり、そのためには、そのようなプリントチャンネルを予め設定しておく必要がある。その他の設定データとしては、画像処理作業でキーボードから補正データを入力する場合のキー操作１回あたりの変化量があげられる。例えば、キーボードの特定のキーを１回押すと、Ｙ色が「＋１」だけ変化するところを「＋１．５」変化するように設定することもできる。
【００３８】
次に、画像処理基板２０について説明する。画像処理基板２０は、受信メモリ２１と画像処理手段２２と送信メモリ２３とファームウェア２４とが設けられている。画像処理基板２０は、実際に露光用に使用される画像データを生成する機能を有する。受信メモリ２１は、送信されてきた画像データ及び補正データを受け取る。画像処理手段２２は、第１画像処理部１０の画像処理手段１２とは異なり、ハードウェアによるものである。補正データに基づいて、ファームウェア２４による処理内容を設定することができ、これに基づいて露光用画像データを生成するための処理が行われる。以上のように、ハードウェアを中核として画像処理基板２０が構成されているので、画像処理基板２０による画像処理は高速に処理される。
【００３９】
この画像処理手段２２において行われる画像処理は、補正データに基づいて行う色・濃度を補正した形の補正画像データを生成するだけでなく、作成するべきプリントサイズと同じサイズのデータとなるような拡大処理、あるいは、画像の縦横を変換する回転処理、必要に応じて行われる赤目補正や逆光補正等の特殊補正、仕上がりの写真プリントの色合いとモニター画面における色合いを合わせるためのカラーマッチング補正、現像処理液の種類や経時変化を考慮した補正等があげられる。また、ＪＰＥＧ等の圧縮ファイル形式の画像データをビットマップに展開する処理も行われる。画像処理手段２２により処理された結果得られた露光用画像データは、送信メモリ２３に送られる。
【００４０】
画像処理基板２０に送信されてくる画像処理データは、写真処理装置１の内部で作成されたものと、ネットワーク３を経由して送信されてくるものがある。そこで処理選択手段２５を設けており、いずれか一方からの画像処理データを受け付けることができる。既に説明したように、写真処理装置１は第１プリントモードと第２プリントモードを選択的に設定することができ、第１プリントモードでは写真処理装置内部で生成した画像処理データを受け付け、第２プリントモードではネットワーク３からの画像処理データを受け付けてプリント処理を実行する。なお、処理選択手段２５は、ソフトウェア的に機能を切り換えるものであり、図２では概念的に示すものである。モードの切り換えは、モニター１５にモード設定画面を表示させ、いずれかのプリントモードを選択することができる。
【００４１】
次に、写真処理装置のプリンタプロセッサー部の構成を簡単に説明する。ペーパーマガジン３０には、写真感光材料である長尺状ペーパーがロールに巻き取られた形態で収容されている。ペーパーマガジン３０は、写真処理装置１に複数台取り付けることもできる。これにより、ペーパーサイズの異なるものを複数種類予め用意しておくことができる。ペーパーマガジン３０から引き出されたペーパーは、所定の搬送経路に沿って搬送されるように構成され、搬送経路途上に設けられたペーパーカッター３１により、所定のプリントサイズに切断される。切断されたペーパーは、露光エンジン３２（画像露光部に相当) に搬送される。露光エンジン３２は、画像処理基板２０の送信メモリ２３から転送されてきた露光用画像データを用いて、ペーパーの乳剤面の画像を露光形成する。露光エンジン３２は、一定速度で副走査方向に搬送されるペーパーに対して、露光光を主走査方向に走査することで潜像を形成させる。露光エンジン３２としては、種々の構造のものを採用することができ、例えば、レーザーエンジン、ＰＬＺＴエンジン、ＣＲＴエンジン等を採用することができる。
【００４２】
露光エンジン３２により画像を焼付露光されたペーパーは、現像処理部３３に送り込まれ現像処理が施された後、乾燥処理部３４で乾燥処理が施され、ペーパー排出部３５から仕上がりの写真プリントが装置外部に排出される。排出された写真プリントは、１オーダー単位で不図示の集積部に集積される。
【００４３】
＜端末処理装置の機能ブロック構成＞
次に、端末処理装置２の機能を図３のブロック図により説明する。写真処理装置１と同様に画像処理を行うための第２画像処理部４０が設けられている。この第２画像処理部４０は、ソフトウェアにより構成されるものであり、ＧＵＩ４１と、画像処理手段４２と、ネットワーク制御手段４３として機能するモジュールを備えている。このＧＵＩ４１と画像処理手段４２については、写真処理装置１の第１画像露光部１０のＧＵＩ１１及び画像処理手段１２と同じ機能を有する。すなわち、 写真処理装置１と端末処理装置２では、ハード制御手段１３とネットワーク制御手段４３のモジュールを除いて同じソフトウェアを使用している。端末処理装置２において得られた画像処理データは、ネットワーク制御手段４３の機能に基づいて、ネットワーク３を経由して写真処理装置１に転送することができる。
【００４４】
写真処理装置１に使用される画像処理ソフトウェアは、一般に市販されている画像処理ソフトウェアとは異なり、写真処理に必要な機能が種々搭載されている。また、使い勝手の面においても、一般のソフトウェアに比べて改良がされている。一方、端末処理装置２は、パソコンで構成することができ、一般的な画像処理ソフトウェアを搭載することも考えられる。しかしながら、その場合、次のような問題がある。
【００４５】
写真処理装置１と端末処理装置２で画像処理ソフトウェアを異ならせると、複数種類のソフトウェアを習得しなければならず、無駄な作業が増えることになる。写真店では、アルバイトやパートタイマーの店員を雇うこともよくあり、ソフトウェアの種類が多いと、これらの店員に対する教育時間も増えてくるため、本来の写真処理に費やすべき作業時間を無駄に消費することにもなる。そこで、写真処理装置１と端末処理装置２で使用するソフトウェアをほぼ同一のものとすることで、余分にソフトウェアの使い方を習得するという無駄な作業を無くすことができる。したがって、端末処理装置２における画像処理の作業は、写真処理装置１で行う場合と全く同じ使い勝手とすることができる。
【００４６】
画像処理やその他の写真処理作業を行うため、モニター４４とキーボード４５が設けられている。また、設定データファイル保存部４６には設定データファイルが保存されており、基本的にこのファイルは写真処理装置１に保存されている設定データファイルと同じものが使用される。これにより、写真処理装置１と端末処理装置２とで同じ条件下で画像処理等の作業を行うことができ、写真処理装置１と端末処理装置２のいずれで画像処理を行ったとしても、同じ品質の写真プリントが得られるようにしている。
【００４７】
画像入力装置４７は、デジタルカメラの記憶メディアやその他の記録媒体から画像データを取得するための装置である。入力された画像データは、一旦画像データ記憶部４８に記憶される。第２画像処理部４０による画像処理の作業は、すでに写真処理装置１のところで説明したのと同じであり、モニター画面の構成例も図４と同じにすることができる。第２画像処理部４０による画像処理により得られた補正データは、補正データ記憶部４９に一旦保存される。画像データ記憶部４８と補正データ記憶部４９については、図２における画像データ記憶部８及び補正データ記憶部１７と同じである。また、画像データ記憶部４８及び補正データ記憶部４９とを合わせてデータ記憶部５８と定義する。
【００４８】
第２画像処理部４０による画像処理で得られた画像処理データにより写真プリントが作成されることになるが、直ちにプリント処理を行う必要はなく、データを蓄積しておいて、後でプリント処理をまとめて行うようにすることもできる。そのために、オーダデータ蓄積部５０が設けられており、ここにオーダデータを蓄積しておくことができる。これは、図２のオーダデータ蓄積部９の場合と同じである。すなわち、 焼き直し処理や焼き増し処理に容易に対応することができる。
【００４９】
端末処理装置２における画像処理機能は、ソフトウェアにより構成される第２画像処理部４０のみであり、写真処理装置１に設けられているようなハードウェア（画像処理基板）は設けられていない。画像処理基板は、コスト的にも高価になるため、複数の端末処理装置に夫々設置すると、システム構築に要するコストもかなり上昇するため好ましくない。
【００５０】
端末処理装置２では、写真処理装置１における稼動状況とは関係なく、画像処理作業を集中的に行うことができる。端末処理装置２で画像処理を行っている間も、写真処理装置１はこれとは切り離してプリント処理を行うことができるので、画像処理システム全体の処理効率が向上する。また、写真処理装置１の電源がＯＦＦになっていたとしても、端末処理装置２だけで画像処理を行うことができる。例えば、写真処理装置１が稼動していない夜間にまとめて画像処理を行って、オーダデータを蓄積しておき、翌朝まとめてプリント作成処理を行うようにできるので、作業効率を高めることができる。
【００５１】
仮に、写真処理装置１でしか画像処理作業ができない場合は、画像処理を行いたいと思っても、他のオペレータが写真処理装置１を使用していた場合は、自分の作業ができないため、無駄な待ち時間が生じる。本発明によれば、そのような無駄な待ち時間が生じることはない。
【００５２】
プリント処理を行う場合は、画像処理データをデータ通信部５５を介してネットワーク３に送出する。画像処理データは、ネットワーク３を経由して写真処理装置１に転送され、写真処理装置１の画像処理基板２０で露光用画像データが生成され、これに基づいて写真プリントが作成される。
【００５３】
画像データ書き込み装置５６は、ＣＤ−ＲやＤＶＤ等の記録媒体に画像データを書き込む装置である。この場合は、データ通信部５５から出力される画像データは画像データ書き込み装置５６へと転送される。画像データ書き込み装置５６へ転送されるデータは、画像データと補正データではなく、補正データにより補正された補正画像データが転送されることになる。この補正画像データを生成する処理は、端末処理装置２においてソフトウェア的に行われる。この画像データ書き込み装置５６は、複数設けられる端末処理装置２の全てに設けておく必要はなく、特定の端末処理装置２にのみ装備するようにしても良い。
【００５４】
＜制限手段の機能＞
次に、写真処理装置１の第１画像処理部１０に設けられる制限手段１０ａの機能を説明する。
【００５５】
既に説明したように、第１画像処理部１０を構成する画像処理ソフトウェアと、第２画像処理部４０を構成する画像処理ソフトウェアとは、基本的に同じソフトウェアが使用される。そして、端末処理装置２にも第２画像処理部４０を設けているので、画像処理作業を端末処理装置２にも分散させることができ、システム全体の処理効率を上げることができる。
【００５６】
その一方で、ネットワーク３に接続される端末処理装置２の台数が増えてくると、いろいろなオペレータが端末処理装置２を操作することになり、画像処理作業の知識にたけた熟練者のみならず、アルバイトやパートタイマー等の初心者も端末処理装置２を操作することもある。このように画像処理のスキルに差がある場合、すべてのオペレータに対して同じ範囲の画像処理作業を許可することは好ましくないと考えられる。画像処理作業には、熟練者でないと難しい作業や、画質に対して直接影響を与えるようなパラメータの設定等が含まれる。従って、初心者にまかせても良い作業と、初心者に行わせない方がよい作業とがある。
【００５７】
そこで、写真処理装置１に制限手段１０ａを設け、ネットワーク３に接続される各端末処理装置２の画像処理作業の作業範囲を制限できるように構成している。また、作業範囲の制限は、複数の端末処理装置２の夫々について個別に行うことができる。すなわち、 オペレータのスキルに応じて作業範囲の制限を行うようにしている。各端末処理装置２に対する制限データは、端末管理データ保存部３７に保存される。
【００５８】
図５は、作業範囲の制限を行うときの設定画面の構成例を示す概念図である。図５において、端末処理装置Ｘ，Ｙ，Ｚについての制限内容が示されている。また、例として画像処理に関する機能Ａ，Ｂ，Ｃ，Ｄがあげられている。端末処理装置Ｘは、熟練者が使用する装置であり、すべての機能について使用することができ、機能Ｃ，Ｄについてもパラメータを自由に変更できるようにしている。すなわち、 端末処理装置Ｘは、何らの制限もしないように設定されている。端末処理装置Ｙは、機能Ａは自由に使用できるが、機能Ｂについては使用ができない。機能Ｃ，Ｄについては使用できるが、編集可能な範囲が端末処理装置Ｘに比べて狭くなっている。端末処理装置Ｚは、機能Ａ，Ｂのいずれも使用することができない。また、機能Ｃ，Ｄについては使用できるが、編集可能な範囲が更に狭くなっている。以上のように、オペレータのスキルに応じて機能や編集範囲を制限することができる。
【００５９】
次に、画像処理の機能に関して具体的に説明する。図５でＡ，Ｂに相当する機能として、画像編集機能、テンプレート合成機能、テンプレート作成機能がある。画像編集としては、入力された画像データと別の画像データを組み合わせて編集して新たな画像データを生成したりする機能である。テンプレート合成機能は、テンプレート画像に対して入力した画像をはめ込み合成したりする機能である。例えば、テンプレートとしてカレンダー画像や年賀状用の画像を予め用意しておき、これに顧客の依頼に係る画像をはめ込み、写真プリントとして作成する。テンプレート作成機能は、上記のカレンダー画像や年賀状用の画像（テンプレート画像）を作成する機能である。これらの機能は、初心者には難しい作業であると考えられるので、初心者が使用する端末処理装置２については、使用できないように機能を制限することが好ましいと考えられる。
【００６０】
図４に関してすでに説明したように、濃度や色を補正する場合は、キーボードのキー操作により補正値を入力する。キー操作入力を行うに際して、例えば、キーボードの特定のキーを１回押すと、Ｙ色が「＋１」（キー１操作入力あたりの入力量に相当する）だけ変化するところを「＋１．５」変化するように設定することもできる。キー操作ではなく、マウスのクリック操作で入力する場合も同様である。このような、入力量の設定は画質に直接関係するものであり、また、どのように設定変更するかについても画像処理に関する知識を習得しておく必要がある。従って、初心者はかかる機能を使用できないように設定することが好ましい。初心者が使用する端末処理装置２に関しては、例えば、キーの１操作入力あたりの変化量（入力量）は「１．０」に固定されることになる。
【００６１】
次に、機能Ｃ，Ｄの具体例に関して説明する。機能Ｃ，Ｄとしては、濃度設定値の補正範囲、シャープネスの補正範囲、コントラストの補正範囲等が例としてあげられる。これらの補正は、初心者でも行うことができるが、自由に補正（編集）できるとすると、好ましくない画質の写真プリントが作成される可能性がある。従って、濃度を補正するにしても、補正可能な範囲を予め制限しておくようにすることが好ましい。
【００６２】
図５に示すような設定画面で設定を完了した後、設定した制限データは、データ通信部３６を介してネットワーク経由で各端末処理装置２に送信される。次に、端末処理装置２側の機能を説明する。
【００６３】
図３に示すように、第２画像処理部４０に機能制御部４０ａが設けられている。制限手段１０ａにより設定された制限データは、端末処理装置２のデータ通信部５５を介して受信される。機能制御部４０ａは、この受信した制限データに基づいて、第２画像処理部４０の機能や作業範囲を制限するようにする。これにより、各端末処理装置２の画像処理作業の作業範囲をまとめて制限・設定させることができる。
【００６４】
＜プリント作成処理手順＞
次に、端末処理装置２で受け付けられた画像データを用いて、写真処理装置１で写真プリントを作成する場合の処理手順の概略を図６のフローチャートにより説明する。
【００６５】
まず、画像入力装置４７を介して記憶メディアから画像データを取得する（＃０１）。入力された画像データは、一旦画像データ記憶部４８に記憶される。入力された画像をモニター４４の画面に表示させて、適切な色・濃度のプリントが作成されるか否かを判定する。必要に応じて、色・濃度の補正データを入力し、またその他必要な画像処理作業を行う（＃０２）。画像処理作業はオーダー単位で行われ、１オーダー分の画像処理データが生成されると（＃０３）、プリント処理を行うか否かを判断する（＃０４）。
【００６６】
プリント処理を行わない場合は、画像処理データをオーダデータとしてオーダデータ蓄積部に蓄積しておく（＃１５）。また、直ちにプリント処理を行う場合であっても、画像処理データをオーダデータ蓄積部５０に蓄積しておく（＃０５）。これは、既に説明したように、後で顧客から焼き増し処理の依頼があった場合等に対応するためである。プリント処理を行う場合は、画像処理データをデータ通信部５５からネットワークへ送出する（＃０６）。
【００６７】
なお、ここで送出されるデータは、画像データと補正データ（プリント作成用データに相当）であり、最終的に露光用に供される露光用画像データではない。仮に、露光用画像データと同じデータをネットワークに送出するとなると、データ量がかなり大きくなる場合（特に四つ切や六つ切等のサイズ) があり、ネットワーク３が混雑して通信に支障を生じることもある。本発明の場合、ネットワーク３に送出される画像データは、画像入力装置４７から入力された時の画像データと同じデータを送出する。入力された画像データが圧縮ファイルであれば、送出される画像データも圧縮された状態で送出されることになるので、必要最小限のデータを送出すればよい。よって、ネットワークの混雑を予め避けることができる。
【００６８】
また、端末処理装置２には露光用画像データを生成するためのハードウェア（画像処理基板）が設けられていないので、仮に、端末処理装置２で露光用画像データを生成しようとすると、ソフトウェアで行うことになるが、データサイズが大きくなると端末処理装置２のＣＰＵにかかる負担が大きくなるという問題も生じる。従って、上記のように画像データと補正データからなる画像処理データを送信することが好ましい。
【００６９】
ネットワーク３に送出された画像処理データは、写真処理装置１の受信メモリ２１に受け取られ（＃１０）、画像処理基板２０により最終的な画像処理が行われる。補正データには、色・濃度を修正する補正パラメータの他に、プリントサイズやプリント枚数のデータも含まれている。これらのデータに基づいて、送信されて来た画像データから露光用画像データを生成する（＃１１）。生成された露光用画像データは、露光エンジン３２に転送され（＃１２）、ペーパーに画像が焼付露光される。画像を焼付露光されたペーパーは、現像処理及び乾燥処理が施された後（＃１３）、仕上がりの写真プリントとして装置外部に排出される（＃１４）。
【００７０】
＜別実施形態＞
（１）本発明に係る写真処理装置は、画像処理部と画像露光部が一体化された装置でなくても良い。例えば、図１ではスキャナー装置６は写真処理装置本体と切り離された構造になっているが、これと同じように画像処理部と画像露光部とを切り離した構造としても良い。切り離した場合は、通信回線により接続がされる。
（２）端末処理装置は、汎用のコンピュータ（パソコン）により構成することができるが、これに限定されるものではなく、特定の機能に特化したコンピュータにより構成してもよい。
（３）本実施形態では、画像データと補正データを含む画像処理データを端末処理装置から写真処理装置へと転送するようにしている。この画像データは、端末処理装置に入力されたときの画像データと同じにしているが、一部の補正パラメータにより補正した補正画像データと、残りの補正データ（これらもプリント作成用データに相当）を転送するようにしても良い。
【図面の簡単な説明】
【００７１】
【図１】システムの概要を示す模式図
【図２】写真処理装置の構成を示す機能ブロック図
【図３】端末処理装置の構成を示す機能ブロック図
【図４】画像処理作業を行う場合のモニター画面の構成例を示す図
【図５】作業範囲の制限を行うときの設定画面の構成例を示す概念図
【図６】プリント作成処理の手順を示すフローチャート
【符号の説明】
【００７２】
１      写真処理装置
２      端末処理装置
３      ネットワーク
８      画像データ記憶部
１０    第１画像処理部
１０ａ  制限手段
１１    ＧＵＩ
１２    画像処理手段
１３    ハード制御手段
１４    設定データファイル保存部
１７    補正データ記憶部
２０    画像処理基板
２２    画像処理手段
３２    露光エンジン
３６    データ通信部
３７    端末管理データ保存部
４０    第２画像処理部
４０ａ  機能制御部
４１    ＧＵＩ
４２    画像処理手段
４３    ネットワーク制御手段
４４    モニター
４５    キーボード
４６    設定データファイル保存部
４７    画像入力装置
４８    画像データ記憶部
４９    補正データ記憶部
５０    オーダデータ蓄積部
５５    データ通信部
【図１】
2005196652.tif 000003
【図２】
2005196652.tif 000004
【図３】
2005196652.tif 000005
【図４】
2005196652.tif 000006
【図５】
2005196652.tif 000007
【図６】
2005196652.tif 000008